(57)【要約】【課題】料理、食器、箸などとの調和という観点からの美感性に配意して、その場で料理、食器、箸などとの調和に配意した色彩、模様等を現すことができる箸袋を提供する。より詳細には、料理や食器の彩りや箸の色などに合わせて、箸袋のうち内部に箸を収納して表面に現れる部分及び箸の台紙となる部分の色彩や模様などを選択できるようにするため複数のポケットを備えた箸袋を提供する。【課題を解決するための手段】片面に開口部が相対する向きに配置された二個のポケットを有する箸袋を提供する。また、両面にポケットを有する箸袋を提供する。さらに、両面にポケットを有する箸袋であっていずれか片面のポケットは一個である箸袋を提供する。【選択図】図２
0003130894.tif 000002
【実用新案登録請求の範囲】
【請求項１】
片面に開口部が相対する向きに配置された二個のポケットを有する箸袋。
【請求項２】
両面にポケットを有する箸袋。
【請求項３】
いずれか片面のポケットは一個である請求項２に記載の箸袋。
【考案の詳細な説明】
【技術分野】
【０００１】
本件考案は、箸袋に関し、特に、箸を収納するためのポケットを複数有する箸袋に関する。
【背景技術】
【０００２】
割箸などの箸を収納するための箸袋は、従来一般に二枚の短冊状の紙製シートの両長辺及び一方の短辺を糊付けして袋状に形成するか、あるいは一枚の紙製シートを折り畳むとともに必要に応じて糊付けをすることによって袋状に形成し、開口部から箸を袋内に挿入してこれを収納するようになっている。
【０００３】
その際、単に箸の収納機能を備えるだけにとどまらず、箸袋の形状や模様を工夫することにより箸袋をより有効に利用できるようにしたものも見られる。例えば、特許文献１では、箸袋の一方の表面に大小二個のポケットを同じ向きに設けて、一方（大きい方）を箸収納用とし、他方（小さい方）を爪楊枝収納用とした箸袋が開示されている（特許文献１参照）。また、例えば、非特許文献１では、結婚式の記念のため、「私達今日結婚しました」といったメッセージを新郎新婦の名前や写真などとともに箸袋の表面に記載した意匠が開示されている（非特許文献１参照）。
【特許文献１】特開平１０‐２７６８８３号公報
【非特許文献１】意匠登録第１１７６５１９号公報
【考案の開示】
【考案が解決しようとする課題】
【０００４】
ところで、箸袋は、料理や食器、さらには箸袋に収納された状態の箸などとともに食卓上に置かれるものであるから、美感性にも優れたものであることが望ましい。特に、箸を用いることの多い和食においては、料理、食器、箸などの色彩、模様等の形態の美感がとりわけ重視されることが多く、料理、食器、箸などとともに食卓上に配置される箸袋も、これらの美感の一部を構成するものとして、その場で料理、食器、箸などとの調和に配意した色彩、模様等を現すことができるようなものであることが望ましい。
【０００５】
しかし、従来の箸袋には、上記の例のような箸袋の形状や模様を工夫することにより箸袋をより有効に利用できるようにしたものを含めても、このような、その場で料理、食器、箸などとの調和に配意した色彩、模様等を現すことができるようなものは存在しなかった。
【０００６】
そこで、本考案の解決すべき課題は、料理、食器、箸などとの調和という観点からの美感性に配意して、その場で料理、食器、箸などとの調和に配意した色彩、模様等を現すことができる箸袋を提供することにある。より詳細には、料理や食器の彩りや箸の色などに合わせて、箸袋のうち内部に箸を収納して表面に現れる部分及び箸の台紙となる部分の色彩や模様などを選択できるようにするため複数のポケットを備えた箸袋を提供することにある。
【課題を解決するための手段】
【０００７】
以上の課題を解決するため、本件考案のうち請求項１に記載の考案は、片面に開口部が相対する向きに配置された二個のポケットを有する箸袋を提供する。また、請求項２に記載の考案は、両面にポケットを有する箸袋を提供する。また、請求項３に記載の考案は、いずれか片面のポケットは一個である請求項２に記載の箸袋を提供する。具体的には、例えばこれら二個のポケットのそれぞれの外表面に異なった色彩、模様などを施すことにより、どちらのポケットに箸を収納するかを料理や食器の彩りや箸の色などに合わせてその場で選択できるようにした箸袋を提供する。
【考案の効果】
【０００８】
本考案により、料理、食器、箸などとの調和という観点からの美感性に配意して、その場で料理、食器、箸などとの調和に配意した色彩、模様等を現すことができる箸袋を提供することが可能となる。より詳細には、料理や食器の彩りや箸の色などに合わせて、箸袋のうち内部に箸を収納して表面に現れる部分及び箸の台紙となる部分の色彩や模様などを選択できるようにするため複数のポケットを備えた箸袋を提供することが可能となる。
【考案を実施するための最良の形態】
【０００９】
以下に、本考案の実施例を説明する。実施例と請求項の相互の関係については、実施例１は主に請求項１などに関し、実施例２は主に請求項２、請求項３などに関する。なお、本考案はこれら実施例に何ら限定されるものではなく、その要旨を逸脱しない範囲において、種々なる態様で実施しうる。
【実施例１】
【００１０】
<概要>
本実施例の箸袋は、片面に開口部が相対する向きに配置された二個のポケットを有する箸袋である。
【００１１】
<構成>
（箸袋の形状）
図１は、本実施例の箸袋の形状の一例を示す。このうち図１（ａ）は、本実施例の箸袋の形状の一例を示す斜視図である。本例の箸袋０１００は、後述のように紙製などの一枚のシートを折り曲げ、糊付けして形成されるもので、片面側（本図の例では図に現れている面側）に開口部０１０１、０１０２が相対する向きに配置された二個のポケット０１０３、０１０４を有する（なお、本図において図に現れている面側は一つの面ではなく、分離した二つのポケットの表面とその間に現れるポケットの下に位置する面０１０５（ただし本図ではその一部だけが見えている）の三つの平面からなる。かかる本図のような箸袋の構造の一例については後述する）。この二個のポケットは、ともに箸を開口部から挿入することにより、当該箸をその内部に収納するためのものである。この場合、二個のポケットが同時に箸を収納することはなく、どちらか一方のポケットが箸の収納に用いられる。そして、ポケットの大きさ（箸袋の側面に占める長さ）は、ともに箸よりも短く、また、二個のポケットは開口部が相対する向きに配置されている。このため、一方のポケットに箸を収納した場合に、箸の収納に用いられない他方のポケットは、箸のうち収納されずにポケットからはみ出した部分の台紙として箸の下側に敷かれる形になる。
【００１２】
なお、本図の例では、二個のポケットの間に隙間（間隔）が空いている例を示したが、これと異なり、二個のポケットの間に隙間がないものであってもよい。この場合には、二個のポケットの開口部は同一直線状に現れることになる。
【００１３】
箸袋の形状は問わない。本図の例では箸袋の形状は略長方形だが、例えば略正方形や略菱形であってもよい。また、箸袋の大きさ（側面の長さ）も問わない。ただし、箸をポケットに収納したときに箸の一部がポケットからはみ出すような大きさであることが必須である。これは、一方のポケットに箸を収納したときに箸が当該ポケットの中に完全に納まってしまい他方のポケットも箸に隠れることなく全面が見えていたのでは、結局どちらのポケットに箸を収納しても二個のポケットの双方が全面的に見えてしまい、箸を収納するポケットを選択する意味がないからである。もっとも、箸袋のポケットが、箸を収納したときに箸がその中に完全に納まるような大きさであるかどうかは、箸の長さとの相対的関係で決まる事柄であって、どのような大きさのポケットであってもそれに収納しきれない長さの箸の収納の用途に用いる以上、本考案にかかる箸袋としてその効果を奏することとなる。従って、事実上本考案の箸袋の大きさには何ら限定がないことになり、結局どのような大きさの箸袋であれ、本考案の技術的範囲に属することとなり、これにより、収納に用いられない方のポケットが、箸のうち収納されずにポケットからはみ出した部分の台紙として箸の下側に敷かれる形になり、箸を収納するポケットの選択に際して当該台紙部分と箸の色などの調和にも配意することが可能となる。さらに箸袋の素材にも特に限定はなく、通常箸袋の素材として利用される紙、ビニールなどが広く利用可能である。
【００１４】
図１（ｂ）は、図１（ａ）のＸ‐Ｘ断面図である。本図の箸袋０１００は、片面側（本図の例では図の上側に現れている面側）に、開口部０１０１、０１０２が相対する向きに配置された二個のポケット０１０３、０１０４を有する（ただし、説明の便宜のためにポケット内部の空間は誇張して描かれている）。これに対し、他の片面（本図の例では図の下側に現れている面０１０５）は、開口部のない連続した一枚の平面である。
【００１５】
（箸袋の使用状態）
図２は、本実施例の箸袋の使用状態の一例を示す図である。このうち、図２（ａ）は本実施例の箸袋の使用状態の一例を示す斜視図であって、箸袋の二個のポケット０２０３、０２０４のうち、左側のポケット０２０３を収納の用途に、右側のポケット０２０４を台紙の用途に用いた例である。即ち、本図に示すように箸０２２０（薄墨で示す）が左側のポケットの開口部０２０１から挿入され、当該ポケットの中に箸の一部（概ね中央から先端までの部分）が収納され、箸のその余の部分は右側のポケット０２０４を台紙として敷いた状態になっていて箸袋の外に見えている。
【００１６】
この場合、例えばこれら二個のポケットのそれぞれの外表面は異なった色彩、模様などが施されており、これによりどちらのポケットに箸を収納し、どちらのポケットを箸の台紙として使用するかを料理や食器の彩りや箸の色などに合わせてその場で選択することができるようになっている。本図の例では、左側のポケットは模様付きであり、右側のポケットは無模様である。そして、料理や食器の彩りや箸の色などに合わせて、本図では料理や食器の彩りと調和するのは左側の模様付きのポケットであるため、当該模様付きのポケットの全面が見えるとともに、箸の色と調和する右側の無模様のポケットが箸の台紙となるよう、左側の模様付きのポケットに箸が収納されている。一方、料理や食器の彩りや箸の色などによっては、無模様のポケットの全面が見えるとともに模様付きのポケットが箸の台紙となるよう、本図の例とは逆に無模様のポケットが左側になるように箸袋を配置した上で、無模様のポケットに箸を収納してもよい（かかる一例を後述の図２（ｃ）に示す）。このように、本考案に係る箸袋は、料理や食器の彩りや箸の色などによって箸袋の配置の向きを変えて箸を収納するポケットをどちらにするかを選択することができる点に特徴がある。かかる選択可能なポケットの組み合わせとしては、本図のような模様付き・無模様の組み合わせの他、例えば暖色・寒色の組み合わせ、濃色・淡色の組み合わせ、大柄な模様と細かい模様の組み合わせなどが考えられる。
【００１７】
図２（ｂ）は図２（ａ）のＸ‐Ｘ断面図である（なお、本図のＸ‐Ｘ線は箸の上面を通る線である）。本図に示すように箸０２２０が左側のポケット０２０３の開口部０２０１から挿入され、当該ポケットの中に箸の一部（概ね中央から先端までの部分）が収納され、その余の部分が右側のポケットを台紙として敷いており箸袋の外に見えている状態となっている。
【００１８】
図２（ｃ）は、本実施例の箸袋の使用状態の別の一例を示す斜視図であって、上に述べたように料理や食器の彩りや箸の色などに応じて図２（ａ）の左右を入れ替えたものである。即ち、本図の例では、箸袋０２００の二個のポケット０２０３、０２０４のうち、無模様のポケット０２０４を左側に配置して収納の用途に、模様付きのポケット０２０３を右側に配置して台紙の用途に用いた例である。このため箸０２２０が左側のポケットの開口部０２０２から挿入され、当該ポケットの中に箸の一部（概ね中央から先端までの部分）が収納され、その余の部分が右側のポケットを台紙として敷いており箸袋の外に見えている状態となっている。なお、図２（ｃ）の断面図は、図２（ｂ）の箸袋の左右を入れ替えただけであるので図示は省略する。
【００１９】
（箸袋の構造）
図３は、本実施例の箸袋の構造の一例を説明するための図であり、図１に示した完成状態の箸袋を形成する過程の状態を示したものである。本図の例では、図３（ａ）に示す一枚の長方形のシート０３００の短辺に平行な線であって長辺の両端からそれぞれ長辺の長さの概ね四分の一のところに折曲げ線０３０６、０３０７を設けて、図に現れている面に対して当該線で谷折りし、概ね斜線で示した範囲０３０８を糊付けする。図３（ｂ）は、このようにして折曲げ線０３０６、０３０７でシート０３００の両端を矢印Ａ方向に谷折りして概ね斜線で示した範囲０３０８ａの裏側及び斜線で示した範囲０３０８を糊付けする直前の状態を示す。この状態からさらに矢印ａ方向に折り曲げて糊付けすれば、図１に示したように箸袋が完成した状態となる（なお、作図の便宜上図３（ｂ）において斜線の向きは、シートに対してではなく図全体に対して斜め方向に描かれている）。
【００２０】
既述のように箸袋の形状は問わないため、箸袋を形成するためのシートの形状もやはりこれを問わない。
【００２１】
（他の例）
なお、以上では、二個のポケットの大きさ（箸袋の側面に占める長さ）が互いにほぼ同じ場合の例で説明したが、ポケットの大きさはこのようなものに限定されず、一方が大きく（箸袋の側面に占める長さが長く）他方が小さい（箸袋の側面に占める長さが短い）ものであってもよい。このような箸袋は、大きい方のポケットに箸を収納すれば料理や食器などとの調和をより際立たせることを可能にし、小さい方のポケットに箸を収納すれば箸との調和をより際立たせることを可能にする。
【００２２】
<効果>
本実施例の考案により、料理、食器、箸などとの調和という観点からの美感性に配意して、その場で料理、食器、箸などとの調和に配意した色彩、模様等を現すことができるように二個のポケットを備えた箸袋を提供することが可能となる。具体的には、例えばこれら二個のポケットのそれぞれの外表面に異なった色彩、模様などを施すことにより、どちらのポケットに箸を収納するかを料理や食器の彩りや箸の色などに合わせてその場で選択できるようにした箸袋を提供することが可能となる。
【実施例２】
【００２３】
<概要>
本実施例の箸袋は、両面にポケットを有する箸袋である。この場合、両面に各二個のポケットを有していてもよいし、いずれか片面のポケットは一個であってもよい。
【００２４】
<構成>
（箸袋の形状）
本実施例の箸袋は、両面にポケットを有する箸袋であるところ、それぞれの面のポケットの数は、一個の場合と二個の場合とがあり得る。即ち、本実施例の箸袋は両面に各二個のポケットを有していてもよいし、いずれか片面のポケットは一個であってもよい。「いずれか片面のポケットは一個であってもよい」とは、一方が二個、他方が一個という組み合わせでもよいし、両方とも各一個という組み合わせでもよいという意味である。この結果、両面合わせたポケットの数は二個、三個、四個の三通りあることになる。ここではまず両面に各一個、計二個のポケットを有する箸袋の例について説明する。
【００２５】
図４は、本実施例の箸袋の形状の一例であって、両面に各一個、計二個のポケットを有する箸袋の例を示す。このうち図４（ａ）は、本実施例の箸袋の形状の一例を示す斜視図である。本例の箸袋０４００は、片面側（本図の例では図に現れている面側）に一個のポケット０４０３を有するとともに、図には現れないが他方の片面側にも一個のポケットを有する。これらのポケットも箸を開口部０４０１（本図に現れるポケットの場合。本図に現れないポケットにあっては後述の図４（ｂ）に示す開口部０４０２）から挿入することにより当該箸をその内部に収納するためのものである。この場合も、二個のポケットが同時に箸を収納することはなく、どちらか一方のポケットが箸の収納に用いられる。
【００２６】
ポケットの大きさ（箸袋の側面に占める長さ）は、本図の例では箸よりも短いが、実施例１と異なりこのことは必須ではない。即ち、両面のポケットがともに箸袋の全面を占めており、箸を収納しても依然として箸袋の全面が見えるようなものであっても、表裏のどちら側のポケットに箸を収納するかという選択が可能であり、少なくともどちらのポケットを箸の収納用として使用するかを料理や食器の彩りなどに合わせてその場で選択することができるという意味で、本考案の効果を奏することが可能となる。ただし、ポケット以外の部分をポケットからはみ出した箸の一部の台紙として利用することで、箸の色などとの調和にも配意して箸を収納すべきポケットを選択できるようにするという観点からは、本実施例でもポケットの大きさ（箸袋の側面に占める長さ）が箸よりも短い方が望ましい。本図でも、一方のポケットに箸を収納した場合に、箸の一部はポケットに収納しきれずにポケット外にはみ出し、ポケットに隣接するポケットを有しない面０４０９が台紙として箸の下側に敷かれる形になるように、ポケットの大きさ（箸袋の側面に占める長さ）は箸よりも短い例が示されている。
【００２７】
なお、このようにポケットの大きさ（箸袋の側面に占める長さ）が箸よりも短い場合に、ポケットの大きさ（箸袋の側面に占める長さ）とポケットに隣接するポケットを有しない面の大きさ（箸袋の側面に占める長さ）の比率は問わない。この場合ポケットの大きさが相対的に大きい場合は、ポケットに箸を収納したときに料理や食器などとの調和をより際立たせることを可能にし、隣接するポケットを有しない面の大きさが相対的に大きい場合は、箸との調和をより際立たせることを可能にする。
【００２８】
箸袋の形状や箸袋の素材には特に限定がないとの点は実施例１と同様である。また、箸袋の大きさ（側面の長さ）について限定がないとの点も、実施例１で述べたところと同様である。
【００２９】
図４（ｂ）は、図４（ａ）のＸ‐Ｘ断面図である。本図の箸袋０４００は、片面側（本図の例では図の上側に現れている面側）に一個のポケット０４０３を有するとともに、他方の片面側（本図の例では図の下側に現れている面側）にも一個のポケット０４０４を有する（なお、本図でも、説明の便宜のために、ポケット内部の空間は誇張して描かれている）。
【００３０】
また、本図の例では、他方の片面側（本図の例では図の下側に現れている面側）のポケットも箸を収納したときに箸の一部がポケットに収納しきれずにポケット外にはみ出すような大きさとなっており、このため、ポケットに隣接するポケットを有しない面０４１０が存在する。
【００３１】
（箸袋の使用状態）
図５は、本実施例の箸袋の使用状態の一例を示す図である。このうち、図５（ａ）は本実施例の箸袋の使用状態の一例を示す斜視図であって、箸袋０５００の片面側（本図の例では図に現れている面側）に備えられている一個のポケット０５０３の中に箸０５２０の一部（概ね中央から先端までの部分）が開口部０５０１から挿入されてポケット内部に収納され、箸のうちその余の部分は右側のポケットを有しない面０５０９を台紙として自身の下に敷いている状態を示す。
【００３２】
この場合、例えばこの図に現れている面側のポケットの外表面と図に現れない他方の片面側のポケットの外表面には異なった色彩、模様などが施されており、これによりどちらのポケットに箸を収納するかを料理や食器の彩りや箸の色などに合わせてその場で選択することができるようになっている。また、それぞれの面のポケットとこれに隣接するポケットを有しない面も、互いに異なった色彩、模様などが施されている。本図の例では、ポケットの表面は模様付きであり、隣接するポケットを有しない面は無模様である。この組み合わせ方の他の例としては、実施例１で述べたのと同様、例えば暖色・寒色の組み合わせ、濃色・淡色の組み合わせ、大柄な模様と細かい模様の組み合わせなどが考えられる。また、表裏両面のポケットの色彩、模様などの組み合わせ方についても同じように、模様付き・無模様、暖色・寒色、濃色・淡色、大柄な模様と細かい模様といった組み合わせなどが考えられる。このように本実施例に係る箸袋は、料理や食器の彩りや箸の色などによって箸袋の表裏を変えて箸を収納するポケットをどちらにするかを選択することができる点に特徴がある。
【００３３】
即ち、本実施例においては、どちらのポケットに箸を収納するかの選択に際しては、ポケットの外表面の色彩、模様などと料理や食器の彩りとの調和を考慮するとともに、当該ポケットに隣接するポケットを有しない面の色彩、模様などと箸の色などとの調和をも考慮して、適切な面側を選択することが可能となる。
【００３４】
このように、本図に示す箸袋における選択は、箸袋の表裏のうちどちらの面を上にして箸の収納及び箸の台紙として用いるかの選択であって、前実施例のように、上にして使用する面にある二個のポケットのうちどちらを箸の収納用、どちらを箸の台紙用として用いるかという選択の余地はない。つまり、本例の箸袋のポケットは、上にした状態で使用するときには専ら箸の収納用に用いられ、箸の台紙用に用いられることはないものである。
【００３５】
以上の結果、実施例１と同様、本実施例でも箸を収納するポケットの選択肢の数は二個となるが、実施例１では片面側の二個のポケットのうちどちらに箸を収納するかという二者択一であったのに対し、本例は、両面に一個ずつあるポケットのうちどちらに箸を収納するかという二者択一であるという違いがある。
【００３６】
図５（ｂ）は図５（ａ）のＸ‐Ｘ断面図である（なお、本図のＸ‐Ｘ線は箸の上面を通る線である）。本図に示すように箸０５２０が左側のポケット０５０３の開口部０５０１から挿入され、当該ポケットの中に箸０５２０の一部（概ね中央から先端までの部分）が収納され、その余の部分が右側に隣接するポケットを有しない面０５０９を台紙として自身の下に敷いている状態になっている。
【００３７】
図５（ｃ）は、本実施例の箸袋の使用状態の別の一例を示す斜視図であって、上に述べたように料理や食器の彩りや箸の色などに応じて図５（ａ）の表裏を入れ替えたものである。即ち、本図の例では、図５（ｂ）の状態の箸袋を短辺方向を軸として矢印Ｂ方向に表裏反転させて、二個のポケット０５０３、０５０４のうち、図５（ｂ）では裏側に位置していたポケット０５０４を表側かつ左側に配置して収納の用途に、それに隣接するポケットを有しない面００５１０を右側に配置して台紙の用途に用いた例である。このため箸０５２０が左側のポケットの開口部０５０２から挿入され、当該ポケットの中に箸の一部（概ね中央から先端までの部分）が収納され、その余の部分が右側のポケットを有しない部分０５１０を台紙として箸袋の外に見えている状態となっている。
【００３８】
（箸袋の構造）
図６は、本実施例の箸袋の構造の一例を説明するための図であり、図５に示した完成状態の箸袋を形成する過程の状態を示したものである。本図の例では、図６（ａ）に示す一枚の長方形のシート０６００の短辺に平行な線であって長辺の両端からそれぞれ長辺の長さの概ね四分の一のところに折曲げ線０６０６、０６０７を設けて、図に現れている面に対して折曲げ線０６０６で谷折りし、概ね右上がり斜線で示した範囲０６０８を糊付けする。また、折り曲げ線０６０７で山折りし、概ね左上がり斜線で示した範囲０６１１の裏側に位置する範囲を糊付けする。図６（ｂ）は、このようにして折曲げ線０６０６、０６０７でシート０６００の両端を矢印Ｃ方向に谷折りするとともに、Ｄ方向に山折りして、概ね右上がり斜線で示した範囲０６０８ａの裏側及び右上がり斜線で示した範囲０６０８並びに左上がり斜線で示した範囲０６１１ａの裏側及び左上がり斜線で示した範囲０６１１を糊付けする直前の状態を示す。この状態からさらに矢印ｃ方向、ｄ方向に折り曲げて糊付けすれば、図４に示したように箸袋が完成した状態となる（なお、作図の便宜上図４（ｂ）において右上がり斜線、左上がり斜線の向きは、シートに対してではなく図全体に対してそれぞれ右上がりの斜め方向、左上がりの斜め方向に描かれている）。
【００３９】
また、箸袋の形状は問わないため箸袋を形成するためのシートの形状もやはりこれを問わない点は、実施例１と同様である。
【００４０】
（他の例（１）二個のポケットを表裏それぞれの同じ側に配置した例）
上の例では、二個のポケットが表裏それぞれの反対側に有する例で説明した。即ち、図５（ｂ）に示したように、表側のポケット０５０３は左側に、裏側のポケット０５０４は右側に配置されている。これは、後述するように、一枚のシートを折り曲げたり糊付けしたりして箸袋を形成したためである。
【００４１】
しかし、本実施例の箸袋はこのようなものに限られず、両面に各一個、計二個のポケットを有する場合に、当該二個のポケットが表裏それぞれの同じ側に配置されているものであってもよい。
【００４２】
図７は、本実施例の箸袋の形状の一例を説明するための図であり、当該二個のポケットが表裏それぞれの同じ側に配置されている箸袋の一例を示す断面図であって図４（ａ）の箸袋におけるＸ‐Ｘ断面に相当する位置で切断したものである。本図から明らかなように、かかる箸袋を形成するためには、ポケット０７０３を有するシート０７００ａと、ポケット０７０４を有するシート０７００ｂとを背面どうし貼り合わせることが必要であり、図４に示した一枚のシートで形成可能な箸袋に比べると形成の手間はかかるが、半面、箸袋を表裏反転する動作は長辺方向を軸として手前側あるいは向こう側に回転させるだけでよいので、より簡便な動作で行うことができるという特徴がある。
【００４３】
（他の例（２）三個のポケットを有する例）
本実施例の箸袋は、三個のポケットを有するものであってもよい。
図８は、本実施例の箸袋の形状の一例を説明するための図であり、三個のポケットを有する箸袋の形状の一例を示す断面図であって、図４（ａ）の箸袋におけるＸ‐Ｘ断面に相当する位置で切断したものである。本例の箸袋は、実施例１において図１で示した箸袋と同様の片面側に二個のポケット０８０３、０８０４を有するシート０８００ａと、本実施例において図７で示したシート０７００ｂと同様の一個のポケット０８０５を有するシート０８００ｂとを背面どうしで貼り合わせたものである。
【００４４】
この場合、本実施例の箸袋への箸の収納のパターンとしては、（１）本図に示す状態で、左側のポケット０８０３に箸を収納するパターン、（２）本図に示す状態を左右反転させてポケット０８０４を左側に配置して箸を収納するパターン、（３）本図に示す状態を表裏反転（本図の例では長辺方向を軸として回転）させて、ポケット０８０５を表側に配置して箸を収納するパターンの三通りがあることになる。
【００４５】
このように、本例の箸袋は、料理や食器の彩りや箸の色などに合わせた箸を収納するポケットの選択肢の幅を、以上に説明した例の二通りから一つ増やすことを可能にした点に特徴がある。
【００４６】
（他の例（３）四個のポケットを有する例）
本実施例の箸袋は、四個のポケットを有するものであってもよい。
図９は、本実施例の箸袋の形状の一例を説明するための図であり、四個のポケットを有する箸袋の形状の一例を示す断面図であって、図４（ａ）の箸袋におけるＸ‐Ｘ断面に相当する位置で切断したものである。本例の箸袋は、実施例１において図１で示した片面側に二個のポケットを有する箸袋を二個用いて、これらを背面どうしで貼り合わせたものである。
【００４７】
この場合、本実施例の箸袋への箸の収納のパターンとしては、（１）本図に示す状態で、左側のポケット０９０３に箸を収納するパターン、（２）本図に示す状態を左右反転させてポケット０９０４を左側に配置して箸を収納するパターン、（３）本図に示す状態を表裏反転（本図の例では長辺方向を軸として回転）させて、ポケット０９０５を表側に配置して箸を収納するパターン、（４）（３）の状態からさらに左右反転させてポケット０９０６を左側に配置して箸を収納するパターンの四通りがあることになる。
【００４８】
このように、本例の箸袋は、料理や食器の彩りや箸の色などに合わせた箸を収納するポケットの選択肢の幅を、上に説明した例の三通りからさらに一つ増やすことを可能にした点に特徴がある。
【００４９】
<効果>
本実施例の考案により、複数（二個、三個又は四個）のポケットを備え、料理や食器の彩りや箸の色などに合わせてその場で行う箸を収納するポケットの選択のバリエーションをさらに増やした箸袋を提供することが可能となる。
【図面の簡単な説明】
【００５０】
【図１】実施例１の箸袋の形状一例を示す図
【図２】実施例１の箸袋の使用状態の一例を示す図
【図３】実施例１の箸袋の構造の一例を説明するための図
【図４】実施例２の箸袋の形状の一例を示す図
【図５】実施例２の箸袋の使用状態の一例を示す図
【図６】実施例２の箸袋の構造の一例を説明するための図
【図７】実施例２の箸袋の形状の一例を説明するための図
【図８】実施例２の箸袋の形状の一例を説明するための図
【図９】実施例２の箸袋の形状の一例を説明するための図
【符号の説明】
【００５１】
０２００      箸袋
０２０１      左側のポケットの開口部
０２０２      右側のポケットの開口部
０２０３      左側のポケット
０２０４      右側のポケット
０２２０      箸
【図１】
0003130894.tif 000003
【図２】
0003130894.tif 000004
【図３】
0003130894.tif 000005
【図４】
0003130894.tif 000006
【図５】
0003130894.tif 000007
【図６】
0003130894.tif 000008
【図７】
0003130894.tif 000009
【図８】
0003130894.tif 000010
【図９】
0003130894.tif 000011